(57)【要約】      （修正有）【課題】眩暈でふらつく使用者が、足元前方に照射された線状光に沿って歩くことにより、真っ直ぐ歩くことを可能とする歩行用ライン投光器を提供する。【解決手段】杖を挟持するように取付けた杖支持部１と、杖支持部１に回動可能となるように取付けられた光源支持部２と、光源Ａの先端部分と、光源Ａから照射した光を透過するレンズ部５を抱持したレンズ支持部とを備え、レンズ部５を透過した光が、使用者の足元前方に線状光として照射される。【選択図】図２
0003222017.tif 000002
【実用新案登録請求の範囲】
【請求項１】
杖を挟持するように取付けた杖支持部と、
前記杖支持部に回動可能となるように取付けられた光源支持部と、
光源の先端部分と、光源から照射した光を透過する棒状のレンズを嵌装するレンズ部を抱持したレンズ支持部と、を備え、
レンズ部を透過した光が、使用者の足元前方に線状光として照射されることを特徴とする歩行用ライン投光器。
【請求項２】
前記レンズ部は、抱持された前記レンズ支持部において、周方向に回動することを特徴とする請求項１に記載の歩行用ライン投光器。
【考案の詳細な説明】
【技術分野】
【０００１】
本考案は、レーザーポインターの光を歩行時の目印として床に照射することを特徴とした歩行用ライン投光器に関する。
【背景技術】
【０００２】
激しい眩暈や耳鳴り、難聴をはじめとする症状が特徴のメニエール病は、その症状の一つである眩暈の発作が起きると真っ直ぐ歩くことが困難になる。眩暈の発作を起こした患者は、杖をはじめとした歩行補助器具を用いることで歩行時のふらつきを軽減することが可能になるが、真っ直ぐ歩くためには何らかの目印が必要となる。
【０００３】
そこで、特許文献１乃至特許文献３では、杖に取付けられた装置あるいは杖に内蔵された光源で歩行者前方の床に目印の光を照射する歩行補助装置が提案されている。また、特許文献４では、患者の身体に装着する歩行補助装置の提案がされており、装置から床に照射された線状光を歩行時に踏み出す際の目印としている。
【０００４】
しかしながら、上に挙げた先行技術において歩行者の前方に照射された目印の光は、次に杖を突く場所の目印であったり、歩行開始時の一歩が踏み出せない人が一歩を踏み出せるように照射された線状光を跨いだりするためのものであったため、真っ直ぐ歩くための目印としては心許無いものであった。加えて、特許文献１や特許文献２で提案されている歩行補助装置は、ジャイロセンサーや重力センサー、ＧＰＳ等の機能を備えており、その高度な機能をもって照射する光の位置を正確に決めることができる一方で、歩行補助装置自体が複雑且つ、高価なものになってしまい、広く一般に普及し難いものであった。
【先行技術文献】
【特許文献】
【０００５】
【特許文献１】特許第５９８８２２７号公報
【特許文献２】特開２０１７−１５８９９６号公報
【特許文献３】実登３１２８８１８号公報
【特許文献４】特許第６４３４５６５号公報
【考案の概要】
【考案が解決しようとする課題】
【０００６】
そこで本考案は上記事情に鑑み、簡単な構成で製作できて、歩行障害や眩暈で歩行の際にふらつく人が、床に照射された目印を頼りに真っ直ぐ歩くことを可能とする、歩行用ライン投光器を提供することを目的とする。
【課題を解決するための手段】
【０００７】
杖を挟持するように取付けた杖支持部と、前記杖支持部に回動可能となるように取付けられた光源支持部と、光源の先端部分と、光源から照射した光を透過する棒状のレンズを嵌装するレンズ部を抱持したレンズ支持部とを備え、レンズ部を透過した光が、使用者の足元前方に線状光として照射されることを特徴とする。
【０００８】
前記レンズ部は、抱持された前記レンズ支持部において、周方向に回動することを特徴とする。
【考案の効果】
【０００９】
請求項１に記載の考案によれば、杖に装着された光源から照射した光を棒状のレンズに透過させることで、使用者の足元前方に線状光を照射することができる。さらに、光源支持部を回動することにより、線状光を照射する位置を微調整することもできる。
【００１０】
請求項２に記載の考案によれば、レンズ部の向きを変えることで、使用者の足元前方に照射される線状光の角度を変更することができる。
【図面の簡単な説明】
【００１１】
【図１】本考案の実施の形態にかかる歩行用ライン投光器の全体斜視図である。
【図２】本考案の実施の形態にかかるレンズ支持部材を外した際の歩行用ライン投光器の斜視図である。
【図３】本考案の実施の形態にかかる杖支持部の斜視図である。
【図４】本考案の実施の形態にかかる光源支持部の斜視図である。
【図５】本考案の実施の形態にかかるレンズ支持部の斜視図である。
【図６】本考案の実施の形態にかかるレンズ部及びレンズ蓋の斜視図である。
【図７】本考案の実施の形態にかかる歩行用ライン投光器を使用した際の概略図である。
【考案を実施するための形態】
【００１２】
以下より、本考案の実施の形態について詳説する。
本考案の歩行用ライン投光器は、図１、図２及び図７に示すように、使用する杖Ｄを挟持して取付けられた杖支持部１と、光源Ａを挟持して且つ、前記杖支持１に回動可能となるように取付けられた光源支持部２と、光源Ａから照射される光を透過するレンズＢを挿入したレンズ部５と、前記レンズ部５を内部に包有し、光源Ａの先端部分を挟持するよう構成されたレンズ支持部３と、前記レンズ部５に蓋をするよう前記光源支持部３の先端部分に取付けられるレンズ蓋６と、光源ＡのＯＮ／ＯＦＦを切り替えるスイッチ部４を備えている。
【００１３】
杖支持部１は、図１乃至図３に示すように、第一の杖支持部材１ａと第二の杖支持部材１ｂで構成されており、それぞれ断面形状略半円状の凹み１１ａ、１１ｂを有している。第一の杖支持部材１ａと第二の杖支持部材１ｂは、それぞれ４つずつ備えてあるボルト孔１２ａ、１２ｂにボルト７を螺着することで、凹み１１ａ、１１ｂが対向して連結し、杖Ｄを挟持するような略円柱状の空間を内側に設けることができる。このような構成とすると、ボルト孔１２ａ、１２ｂに螺着されたボルト７を緩めることで杖Ｄを挟持する力も緩み、杖Ｄと杖支持部１の間に隙間が生じるため、杖Ｄに装着する場所を自由に変更することができる。このため、使用者の体格や杖の長さに応じて取付高を自由に調節することが可能となる。
また、第二の杖支持部材１ｂには、光源支持部２と連結するための連結ボルト１３ｂのネジ部が露出するように埋設されている（図３参照）。露出した連結ボルト１３ｂのネジ部は、第二の光源支持部材２ｂに設けられた連結ボルト孔２３ｂへと螺着され、杖支持部１と光源支持部２が連結する。
【００１４】
光源支持部２は、図１、図２及び図４に示すように、第一の光源支持部材２ａと第二の光源支持部材２ｂで構成されており、それぞれ断面形状略半円状の凹み２１ａ、２１ｂを有している。上述した杖支持部１と同様に、第一の光源支持部材２ａと第二の光源支持部材２ｂにもそれぞれボルト孔２２ａ、２２ｂが４つずつ備えられており、ボルト７を螺着すれば凹み２１ａ、２１ｂが対向して連結し、光源Ａを挟持できるような略円柱状の空間を内側に設けることができる。
また、上述したように、第二の杖支持部材１ｂから突出した連結ボルト１３ｂが第二の光源支持部材２ｂの連結ボルト孔２３ｂに螺着することで、杖支持部１と光源支持部２が連結する構成となっている。この時、光源支持部２は連結ボルト１３ｂによって緊締されているものの、杖支持部１に対して回動可能となるように取付けられている。このため、光源Ａの角度を自由に変更することで、使用者に応じて線状光Ｃの照射角度を自由に変化させることが可能となる。なお、適切な角度に調節した後は連結ボルト１３ｂをより強く締めることで角度が固定できる。
【００１５】
レンズ支持部３は、図１、図２及び図５に示すように、一対のレンズ支持部材３１、３２で構成されている。レンズ支持部材３１、３２にはそれぞれ、光源Ａを嵌め込む断面形状略半円状の光源挿入部３３と、光源挿入部３３に食い込むように備えられた断面形状略Ｌ字状のスイッチ部案内溝３４と、円柱状のレンズ部５を嵌め込むレンズ保持部３５が設けられている。一対のレンズ支持部材３１、３２には、杖支持部１や光源支持部２と同様に、両部材を連結させるための小ネジ孔３６が４箇所ずつ設けられており、小ネジ８を小ネジ孔３６に螺着させることで光源挿入部３３と、スイッチ部案内溝３４と、レンズ保持部３５が向い合うように連結し、光源Ａを挟持できるような略円柱状の空間を内側に設けることができる。なお、レンズ支持部材３１、３２同士を連結させる際は、小ネジ８を螺着させる前にレンズ保持部３５にレンズ部５を予め嵌め込んでから連結させる。
【００１６】
上述したスイッチ部案内溝３４には、光源ＡのＯＮ／ＯＦＦを切り替えるスイッチ部４が嵌め込まれる構成となっている。スイッチ部４は、図２に示すように、レンズ支持部３から突出するつまみ４１と、断面形状略Ｔ字状の摺動部４２と、摺動部４２の底面中央部が盛り上がった凸部４３が一体的に構成されている。スイッチ部案内溝３４は、レンズ支持部材３１、３２が連結すると前記摺動部４２が嵌合するような略Ｔ字状の空間を成すため、予めスイッチ部４をどちらかのスイッチ部案内溝３４に嵌め込んでから、もう一方のレンズ支持部材３１、３２を連結させてレンズ支持部３を組上げる。
上述のようにスイッチ部４をレンズ支持部３に組込むことで、スイッチ部４の摺動部４２がスイッチ部案内溝３４に沿って摺動することができる。この時、図２のように光源Ａが光源挿入部３２に挿入されていると、スイッチ部４に設けられた凸部４３が光源Ａの電源Ａｓを押圧するように構成されているため、スイッチ部４の摺動によって光源ＡのＯＮ／ＯＦＦを切り替えることができる。
【００１７】
レンズ部５は、図２及び図６に示すようにドーナツ型の部材であり、光源Ａから照射された光を透過させるレンズＢと、該レンズＢを挿入するレンズ挿入孔５１と、レンズＢの角度を調整する角度調整つまみ５２とで構成されている。レンズ部５は、上述したレンズ支持部３に設けられたレンズ保持部３５に嵌め込んであって、角度調整つまみ５２を動かすことによりレンズ保持部３５内で円周方向に回動可能となるように組込まれている。
本考案にて使用されているレンズＢは、略円柱状を呈した透明なアクリル棒であり、レンズ挿入孔５１からレンズ部５に挿通させる。光源Ａより照射された光は、略円柱状のレンズＢの側面へ入射後レンズＢを通過すると線状に集光し、図７に示すような線状光Ｃとして杖Ｄの前方に映し出すことができ、本考案の使用者は線状光Ｃに沿って歩くことでふらつくことなく真っ直ぐ歩くことが可能となる。
【００１８】
上述したレンズ部５がレンズ支持部３から逸脱しないように、ドーナツ型の部材であるレンズ蓋６をレンズ支持部３と連結させる（図１参照）。図６に示すように、レンズ蓋６にもレンズ支持部３と同様の小ネジ孔３６が４箇所備えてあり、小ネジ８を螺着させることでレンズ蓋６を装着することができる。
レンズ蓋６には、角度調整つまみ５２、５２が挿通する角度調整案内溝６１、６１が設けてあって（図６参照）、角度調整つまみ５２の先端部分がレンズ蓋６より突出するように構成されている。該角度調整案内溝６１、６１は、レンズ蓋６の中心に対向して設けられており、そこから突出している角度調整つまみ５２を角度調整案内溝６１に沿って摺動させると、レンズ支持部３の内部でレンズ部５が略９０度回動し、レンズＢの向きを変更することができる。なお、角度調整案内溝６１の長さを変えることで、レンズ部５の回転角度をより大きくしたり、小さくしたりすることも可能である。
【００１９】
このように構成された歩行用ライン投光器を杖Ｄに装着すれば、図７のように進行方向側へ線状光Ｃが照射され、本考案の使用者はその線状光Ｃに沿って移動することにより、ふらつかずに真っ直ぐ歩くことが可能となる。
また、照射される線状光Ｃはレンズ部５の回動によって略９０度回転するため、進行方向に沿った直線のほか、進行方向に垂直な線とすることもでき、使用者は線状光Ｃに沿って移動するだけでなく、線状光Ｃを跨ぐように歩行することもできる。このため、特許文献３のように、歩行時の最初の一歩が出難い歩行障害を持つ使用者に対しても対応することができる。
【００２０】
本考案のライン投光器は、部材同士がボルトやネジで連結して構成されている上に、ライン投光器そのものには電気的な動力を必要とする部材が無いためそれぞれの部材を簡単に分解、組立てることが可能であり、別の杖への付け替えや光源の取替も自由である。また、ライン投光器を構成する部材は３Ｄプリンターによって製作することができるため、使用したい光源や杖のサイズに合わせて各部材のサイズを容易に変えることが可能である。
【００２１】
本考案で用いているレンズＢは、丸棒状のアクリル棒を用いているが、レンズ部５のレンズ挿入孔５１の形状を変えることで角棒を用いることもできる。
なお、上述した本考案の実施例では各部材間の連結にはボルトやネジを用いているが、小蝶番を用いてより簡便に杖や光源を取付けることもできる。
【符号の説明】
【００２２】
１    杖支持部
２    光源支持部
３    レンズ支持部
５    レンズ部
Ａ    光源
Ｂ    レンズ
Ｃ    線状光
Ｄ    杖
【図１】
0003222017.tif 000003
【図２】
0003222017.tif 000004
【図３】
0003222017.tif 000005
【図４】
0003222017.tif 000006
【図５】
0003222017.tif 000007
【図６】
0003222017.tif 000008
【図７】
0003222017.tif 000009